(57)【特許請求の範囲】
【請求項１】
その先端の開口から化粧料が現れる先端部を備えた筒状の容器本体と、前記先端部を覆うように前記容器本体に着脱自在に係合可能な有底筒状のキャップと、を具備した化粧料容器において、
前記容器本体の前記先端部は、
外周面に少なくとも１以上設けられ外方に突出する突起部と、
前記突起部の軸線方向後側に隣接して設けられ、筒内外を連通する孔と、
前記孔の軸線方向後側に隣接して設けられ、筒内外径が前記突起部の外径以上に拡径し後方に続く拡径部と、を備え、
前記キャップは、その開口近傍の内周面に、前記突起部と軸線方向に着脱自在に係合可能な環状突起を備え、
前記キャップの前記開口に対して前記容器本体の前記先端部が挿入され、前記容器本体の前記突起部が前記キャップの前記環状突起を乗り越える位置まで前記先端部が挿入されることで、前記キャップが前記容器本体に対して着脱自在に係合し装着されることを特徴とする化粧料容器。
【請求項２】
前記容器本体の前記突起部は、その一部が前記孔に張り出していることを特徴とする請求項１記載の化粧料容器。
【請求項３】
前記容器本体は、前記突起部より前側部分の肉厚が、前記前側部分の周方向両側の他の部分の肉厚より薄いことを特徴とする請求項１又は２記載の化粧料容器。
【請求項４】
請求項１〜３の何れか一項に記載の化粧料容器の容器本体を成形すべく、前記容器本体の外周面と前記開口を外型で、前記容器本体の内周面を内型で成形する化粧料容器の製造方法であって、
前記外型を、一端が開口されていると共に他端が閉口されている筒状体とし、
その内周面に、前記突起部の外面を成形するための凹部と、前記凹部の後端から後方に離間し前記拡径部の外面を成形するための拡径部用内面と、前記凹部と前記拡径部用内面との間の孔対応内面と、を含む外型とし、
前記内型を柱状体とし、
その外周面に、前記孔対応内面に対応し前記孔を成形するための凸部と、前記凸部の後端に続き前記拡径部の内面を成形するための拡径部用外面と、を備える内型とし、
前記外型の前記開口より前記内型を挿入し、前記突起部を成形すべく、前記外型の前記凹部の後側と前記内型の前記凸部の前側とを軸線方向に当接させると共に、前記孔を成形すべく、前記外型の前記孔対応内面とこれに対面する前記内型の前記凸部の外面とを径方向に当接させ、
この状態で、前記外型と前記内型との間に溶融樹脂を流し込み、固化後、前記外型と前記内型とを軸線方向の反対方向に互いに離型することによって、前記容器本体を得ることを特徴とする化粧料容器の製造方法。
【請求項５】
前記容器本体は、射出成形により製造されることを特徴とする請求項４記載の化粧料容器の製造方法。
【発明の詳細な説明】
【技術分野】
【０００１】
本発明は、化粧料を塗布するための化粧料容器及びその製造方法に関する。
【背景技術】
【０００２】
従来、例えば棒状化粧料等の化粧料を有する容器本体に対してキャップを着脱自在に係合する構成として、以下の特許文献１、２のものが知られている。
【０００３】
特許文献１に記載の化粧料容器の係合構造は、容器が金属より成る場合に多々採用されるものであり、円筒状を成す容器本体にあっては、当該容器本体の周壁の外周面の複数箇所に、突部を突設すると共に、この突部の周方向の両脇に、軸線方向に延び容器内外を連通する一対のスリットを穿設することで、内方向に弾性を有し撓む弾性突部を形成し、一方、有底円筒状を成すキャップにあっては、当該キャップの内周面に、上記突部と軸線方向に係合可能な凹部となる嵌合段部を円環状に設ける構成とし、キャップを容器本体に対して装着すると、容器本体の弾性突部が内方向に撓み、その突部がキャップの嵌合段部に進入して弾性突部が復元し、これによりキャップが容器本体に係合する一方で、キャップを容器本体から引き抜くと、容器本体の弾性突部が内方向に撓み、その突部がキャップの嵌合段部から外れ、キャップの容器本体に対する係合が解除される。
【０００４】
また、特許文献２に記載の化粧料容器の係合構造は、容器が樹脂より成る場合に多々採用されるものであり、円筒状を成す容器本体にあっては、当該容器本体の外周側を構成する円筒状の中具を備え、この中具の周壁の外周面に沿って一条の円環状リブを突設し、一方、有底円筒状を成すキャップにあっては、当該キャップの内周面に、上記円環状リブと軸線方向に係合可能な一条の円環状溝を設ける構成とし、キャップを容器本体に対して挿脱すると、キャップの円環状溝と容器本体の円環状リブとが軸線方向に係合／解除し、これによりキャップが容器本体に対して着脱される。
【０００５】
ここで、特許文献１に記載の容器本体の係合構造を得るには、プレスにより容器本体となる円筒体を形成し、この円筒体を穿設することで上記スリットを形成すると共に、円筒体の内側からプレスすることで上記突部を形成するのが一般的である。
【０００６】
また、特許文献２に記載の容器本体の係合構造を得るには、容器本体の外面に対応する内周面を有し特に容器本体の円環状リブに対応する円環状凹部を有する外型を用いた樹脂による射出成形が採用されるが、係合部分が無理抜きとなるため、外型としては径方向に離型できる割型を用いるのが一般的である。
【先行技術文献】
【特許文献】
【０００７】
【特許文献１】実公平６−１５号公報
【特許文献２】特許第３８５６８６０号公報
【発明の概要】
【発明が解決しようとする課題】
【０００８】
しかしながら、前者にあっては、プレスを複数回する必要があり、後者にあっては、無理抜きを回避するには割型を用いて製造する必要があり、何れにしても、製造が煩雑で面倒となるという問題がある。
【０００９】
そこで、本発明は、製造が容易で生産性を向上しつつ、化粧料容器の容器本体とキャップとを安定して着脱自在に係合させることができる化粧料容器及びその製造方法を提供することを目的としている。
【課題を解決するための手段】
【００１０】
本発明による化粧料容器は、その先端の開口から化粧料が現れる先端部を備えた筒状の容器本体と、先端部を覆うように容器本体に着脱自在に係合可能な有底筒状のキャップと、を具備した化粧料容器において、容器本体の先端部は、外周面に少なくとも１以上設けられ外方に突出する突起部と、突起部の軸線方向後側に隣接して設けられ、筒内外を連通する孔と、孔の軸線方向後側に隣接して設けられ、筒内外径が前記突起部の外径以上に拡径し後方に続く拡径部と、を備え、キャップは、その開口近傍の内周面に、突起部と軸線方向に着脱自在に係合可能な環状突起を備え、キャップの開口に対して容器本体の先端部が挿入され、容器本体の突起部がキャップの環状突起を乗り越える位置まで先端部が挿入されることで、キャップが容器本体に対して着脱自在に係合し装着されることを特徴としている。
【００１１】
このような化粧料容器によれば、当該化粧料容器の容器本体を上記構成としているため、以下の成形方法を採用できる。すなわち、例えば、容器本体の外周面と開口を成形するための外型と、容器本体の内周面を成形するための内型とを用い、外型を、一端が開口されていると共に他端が閉口されている筒状体とし、その内周面に、突起部の外面を成形するための凹部と、凹部の後端から後方に離間し拡径部の外面を成形するための拡径部用内面と、凹部と拡径部用内面との間の孔対応内面と、を含む構成とすると共に、内型を柱状体とし、その外周面に、孔対応内面に対応し孔を成形するための凸部と、凸部の後端に続き拡径部の内面を成形するための拡径部用外面と、を備える構成とし、外型の開口より内型を挿入し、外型の凹部の後側と内型の凸部の前側とを軸線方向に当接させると共に、外型の孔対応内面とこれに対面する内型の凸部の外面とを径方向に当接させ、この状態で、外型と内型との間に溶融樹脂を流し込み、固化させると、外型の凹部の後側と内型の凸部の前側とが軸線方向に当接することによって突起部が成形され、外型の孔対応内面とこれに対面する内型の凸部の外面とが径方向に当接することによって孔が成形される。固化後、外型と内型とを軸線方向の反対方向に互いに離型し、具体的には、外型を前側へ、内型を後側に移動することによって離型し、外型の内周面にあっては、前側から後側に向けて、凹部、孔対応内面、拡径部用内面の順に並ぶため、外型を前側へ移動する際に、これらの外型の内周面が成形物に干渉（当接）することは無く、また、内型の外周面にあっては、後側から前側に向けて、拡径部用外面、凸部と並ぶため、内型を後側へ移動する際に、これらの内型の外周面が成形物に干渉することは無く、容器本体が得られる。このように、無理抜きをすること無く且つ割型を用いること無く、勿論プレスも必要ないため、製造が容易で生産性を向上できる。
【００１２】
また、上記構成によれば、容器本体の先端部の外周面に少なくとも１以上設けられ外方に突出する突起部が、キャップの開口近傍の内周面に設けられた環状突起を乗り越える位置まで挿入されることで、キャップが容器本体に対して軸線方向に着脱自在に係合し、このキャップに対する先端部の挿脱に際して、突起部の後側に隣接し筒内外を連通する孔により、突起部が径方向に弾性を有し環状突起を確実に乗り越えることができる。このため、化粧料容器の容器本体とキャップとを安定して着脱自在に係合させることができる。
【００１３】
ここで、容器本体の突起部は、その一部が孔に張り出していると、突起部の径方向の弾性が一層高められ、環状突起を一層確実に乗り越えることができ、その結果、化粧料容器の容器本体とキャップとを一層安定して着脱自在に係合させることができる。
【００１４】
また、容器本体は、突起部より前側部分の肉厚が、前側部分の周方向両側の他の部分の肉厚より薄いと、突起部の径方向の弾性が一層高められ、環状突起を一層確実に乗り越えることができ、その結果、化粧料容器の容器本体とキャップとを一層安定して着脱自在に係合させることができる。
【００１５】
また、本発明による化粧料容器の製造方法は、上記化粧料容器の容器本体を成形すべく、容器本体の外周面と開口を外型で、容器本体の内周面を内型で成形する化粧料容器の製造方法であって、外型を、一端が開口されていると共に他端が閉口されている筒状体とし、その内周面に、突起部の外面を成形するための凹部と、凹部の後端から後方に離間し拡径部の外面を成形するための拡径部用内面と、凹部と拡径部用内面との間の孔対応内面と、を含む外型とし、内型を柱状体とし、その外周面に、孔対応内面に対応し孔を形成するための凸部と、凸部の後端に続き拡径部の内面を成形するための拡径部用外面と、を備える内型とし、外型の開口より内型を挿入し、突起部を成形すべく、外型の凹部の後側と内型の凸部の前側とを軸線方向に当接させると共に、孔を成形すべく、外型の孔対応内面とこれに対面する内型の凸部の外面とを径方向に当接させ、この状態で、外型と内型との間に溶融樹脂を流し込み、固化後、外型と内型とを軸線方向の反対方向に互いに離型することによって、容器本体を得ることを特徴としている。
【００１６】
このような化粧料容器の製造方法によれば、前述したのと同様に、無理抜きをすること無く且つ割型を用いること無く、勿論プレスも必要なく、容器本体が得られるため、製造が容易で生産性を向上できる。
【００１７】
ここで、容器本体は、射出成形により製造されているのが好ましい。
【発明の効果】
【００１８】
このように本発明によれば、製造が容易で生産性を向上しつつ、化粧料容器の容器本体とキャップとを安定して着脱自在に係合させることができる。
【図面の簡単な説明】
【００１９】
【図１】本発明の第１実施形態に係る化粧料容器の外観を示す斜視図である。
【図２】図１に示す化粧料容器の縦断面図である。
【図３】図１に示す化粧料容器の縦断斜視図である。
【図４】図３中の要部を拡大して示す縦断斜視図である。
【図５】図１〜図４中のキャップを示す縦断斜視図である。
【図６】図１〜図４中の容器本体を示す斜視図である。
【図７】図６に示す容器本体の側面図である。
【図８】図７に示す容器本体の平面図である。
【図９】図８のIX-IX矢視図である。
【図１０】図６〜図９の容器本体を製造するための金型を示す断面斜視図である。
【図１１】図１０中の内型を示す斜視図である。
【図１２】図１０の金型を用いて容器本体を製造している状態を示す縦断斜視図である。
【図１３】図１２に示す状態から金型を離型した状態を示す分解斜視図である。
【図１４】本発明の第２実施形態に係る化粧料容器を構成する容器本体を示す側面図である。
【図１５】図１４に示す容器本体の平面図である。
【図１６】図１５のXVI-XVI矢視図である。
【図１７】本発明の第３実施形態に係る化粧料容器を構成する容器本体を示す平面図である。
【図１８】図１７のXVIII-XVIII矢視図である。
【図１９】本発明の第４実施形態に係る化粧料容器を構成する容器本体を示す平面図である。
【図２０】図１９のXX-XX矢視図である。
【図２１】本発明の第５実施形態に係る化粧料容器を示す縦断面図である。
【発明を実施するための形態】
【００２０】
以下、添付図面を参照しながら、本発明の実施形態について詳細に説明する。なお、同一又は相当要素には同一符号を付して重複する説明は省略する。
【００２１】
図１〜図１３は、本発明の第１実施形態を、図１４〜図１６は、本発明の第２実施形態を、図１７及び図１８は、本発明の第３実施形態を、図１９及び図２０は、本発明の第４実施形態を、図２１は、本発明の第５実施形態を各々示すものであり、先ず、図１〜図１３に示す第１実施形態を説明する。
【００２２】
図１は、第１実施形態に係る化粧料容器の外観を示す斜視図、図２〜図４は、化粧料容器を示す各図、図５は、キャップを示す縦断斜視図、図６〜図９は、容器本体を示す各図、図１０〜図１３は、容器本体の製造方法を示す説明図であり、本実施形態の化粧料容器は、棒状化粧料を塗布するための化粧料容器である。
【００２３】
図１〜図３に示すように、化粧料容器１００は、概略、棒状化粧料Ｍ（図２１参照）が装着される容器本体１と、棒状化粧料Ｍを覆い保護すべく容器本体１に着脱自在に装着されるキャップ５０と、を外形構成として具備している。
【００２４】
容器本体１は、例えば合成樹脂等の可撓性材より成形され、図２及び図３、図６〜図９に示すように、両端が開口された円筒状に構成される。容器本体１の前半側（図示左側）の先端部１０は、キャップ５０を着脱自在に係合し装着するための部分であり、その外径が先端に向けて徐々に小さくなる円筒形状とされ、この先端部１０に対し段差面を介して後側に続く後半部は、使用者が使用する際に摘んで持つための摘み部１２であり、その内外径が先端部１０に対して拡径する拡径部とされている。
【００２５】
容器本体１を貫く筒孔のうち、先端部１０の筒孔は、先端の開口１４から、第１孔１５、第２孔１６、第３孔１７、第４孔１８が、この順で摘み部１２まで続くように構成されている。
【００２６】
第１孔１５は、棒状化粧料Ｍが挿入される孔であり、開口１４から略同径で後側に続き、第１孔１５の後端とこれより縮径する第２孔１６の前端との間の段差面２０が、棒状化粧料Ｍの後端面を突き当てるための円環状の突き当て面とされている。この第１孔１５の内周面には、棒状化粧料Ｍを把持するためのリブ２１が軸線方向に延びると共に周方向に沿って複数設けられている。そして、これらのリブ２１に、棒状化粧料Ｍの後端部を先端の開口１４から挿入し突き刺しながら、棒状化粧料Ｍの後端面を段差面２０に突き当てることで、棒状化粧料Ｍが容器本体１の先端部１０に把持され備えられる。
【００２７】
なお、第１孔１５は、ここでは、横断面円形とされて横断面円形の棒状化粧料を把持するようにしているが、例えば、横断面楕円形として横断面楕円形又は円形の棒状化粧料を把持するようにしても良い。
【００２８】
第２孔１６は軸線方向に短尺とされ、これに続く第３孔１７は、第２孔１６に対して拡径し所定長後側に延びている。
【００２９】
第３孔１７に続く第４孔１８は、第３孔１７と略同径で後側に続く内面２２と、第３孔１７に対して拡径し後側に続く大径内面２３とが、周方向に沿って交互に並ぶ構成とされ、ここでは、内面２２と大径内面２３はそれぞれ３個ずつ設けられている。そして、大径内面２３を内面とする筒部分２４は、肉厚が薄肉とされた薄肉部とされ、周方向のそれ以外の部分、すなわち、内面２２を内面とする筒部分２５は、肉厚が厚肉とされた厚肉部とされている。
【００３０】
先端部１０の周方向に３個ある薄肉部２４のその後部側の外周面には、外方に突出する突起部２６がそれぞれ設けられ、この突起部２６の軸線方向後側に隣接する位置（突起部２６の基部の後側）には、筒内外を連通する孔２７が設けられている。この孔２７を形成する前側の面（図示左側の面）は、後方に向かうに従い拡径する傾斜面２８とされ、突起部２６は、その一部が孔２７の前端上に張り出すように構成されている。より具体的には、突起部２６は、その後端部が、後方へ向かうと共に軸心から離れる斜め方向へ向かい、孔２７の前側部分を覆い当該孔２７に庇状に張り出すように構成されている。
【００３１】
先端部１０に続く摘み部１２は、その内外径が先端部１０に対して拡径する拡径部であり、摘み部１２の筒孔３０のうち、孔２７の後側に続く部分３１は、その内径が、突起部２６の外径と同径となるように拡径されて後端まで続くと共に、内面２２の後側に続く部分３２は、その内径が、部分３１より多少小径で内面２２より拡径されて後端まで続くように構成される。なお、拡径部１２の内外径は、突起部２６の外径以上に拡径していれば良い。
【００３２】
キャップ５０は、例えば合成樹脂等の可撓性材より成形され、図２、図３及び図５に示すように、有底円筒状に構成される。このキャップ５０は、その開口５１近傍の内周面に、容器本体１の突起部２６と軸線方向に係合するための円環状突起５２及び円環状凹部５３を軸線方向の後側からこの順に備え、これらにより軸線方向に後側から凸凹部が形成されている。
【００３３】
次に、上記構成を有する容器本体１の製造方法である射出成形法及びこれに用いる金型としての成形型について図１０〜図１３を参照しながら説明する。
【００３４】
ここで用いられる成形型として、図１０及び図１１に示すように、容器本体１の外周面と開口１４を成形するための外型７０と、容器本体１の内周面を成形するための内型（コアピンとも呼ぶ）８０と、を用意する。
【００３５】
外型７０は、図１０に示すように、一端（図示右端）が開口されていると共に他端（図示左端）が閉口されている筒状体である。この外型７０は、閉口している側に、容器本体１の開口１４、第１孔１５、第２孔１６を成形するための段付き円柱体７１を、後方に向かって突出するようにして備えている。また、外型７０は、段付き円柱体７１以外の内周面が、容器本体１の外周面に対応し、特に、容器本体１の突起部２６を成形するための凹部７２と、凹部７２の後端から後方に離間し容器本体１の拡径部１２の外面を成形するための拡径部用内面７３と、凹部７２と拡径部用内面７３との間に設けられ容器本体１の孔２７を成形するための孔対応内面７４と、を含んでいる。
【００３６】
内型８０は、図１０及び図１１に示すように、柱状体であり、その外周面が、容器本体１の内周面に対応し、特に、外型７０の孔対応内面７４に対応し容器本体１の孔２７を成形するための凸部８１と、凸部８１の後端に続き容器本体１の拡径部１２の内面を成形するための拡径部用外面８２と、を含んでいる。
【００３７】
そして、このような構成の内型８０を、図１２に示すように、外型７０の開口より挿入し、外型７０の凹部７２の後側（後端縁）と内型８０の凸部８１の前側（前端外周縁）とを軸線方向に当接させると共に、外型７０の孔対応内面７４とこれに対面する内型８０の凸部８１の外面（凸面）とを径方向に当接させ、この状態で、外型７０と内型８０との間に形成される隙間に溶融樹脂を流し込み（射出し）、固化させる。
【００３８】
すると、外型７０の凹部７２の後側と内型８０の凸部８１の前側とが軸線方向に当接することによって、図１３に示すように、容器本体１の突起部２６が成形され、外型７０の孔対応内面７４とこれに対面する内型８０の凸部８１の外面とが径方向に当接することによって、容器本体１の孔２７が成形される。
【００３９】
固化後、外型７０と内型８０とを、図１３に示すように、軸線方向の反対方向に互いに離型し、具体的には、外型７０を前側（図示左側）へ、内型８０を後側（図示右側）に移動することによって離型し、外型７０の内周面にあっては、前側から後側に向けて、凹部７２、孔対応内面７４、拡径部用内面７３の順に並ぶ、すなわち、小径から大径の順に並ぶため、外型７０を前側へ移動する際に、これらの外型７０の内周面が成形物である容器本体１の外周面に干渉（当接）することは無く、また、内型８０の外周面にあっては、後側から前側に向けて、拡径部用外面８２、凸部８１の順に並ぶ、すなわち、大径から小径の順に並ぶため、内型８０を後側へ移動する際に、これらの内型８０の外周面が成形物である容器本体１に干渉することは無く、容器本体１が得られる。
【００４０】
従って、無理抜きをすること無く且つ割型を用いること無く、勿論プレスも必要ないため、製造が容易で生産性を向上できる。
【００４１】
そして、このようにして製造された容器本体１に、前述したキャップ５０を装着する場合には、当該キャップ５０の開口５１に対して容器本体１の先端部１０を挿入する。
【００４２】
すると、特に図４に示すように、容器本体１の突起部２６が、当該突起部２６の後側に隣接し筒内外を連通する孔２７により径方向に弾性を有するため、キャップ５０の円環状突起５２を確実に乗り越えて円環状凹部５３に進入し、突起部２６と円環状突起５２とが軸線方向に係合する。これにより、キャップ５０が容器本体１に対して軸線方向に係合し装着される。
【００４３】
また、キャップ５０に対して容器本体１の先端部１０を引き抜くと、孔２７により径方向に弾性を有する突起部２６が、装着の場合と同様に、円環状突起５２を確実に乗り越え、突起部２６と円環状突起５２との軸線方向の係合が解除される。これにより、キャップ５０が容器本体１の先端部１０から取り外されて使用状態とされる。
【００４４】
このように、本実施形態においては、容器本体１の突起部２６が、キャップ５０の内周面の円環状突起５２を乗り越える位置まで挿入されることで、キャップ５０が容器本体１に対して軸線方向に着脱自在に係合し、このキャップ５０に対する先端部１０の挿脱に際して、突起部２６の後側の孔２７により、突起部２６が径方向に弾性を有し円環状突起５２を確実に乗り越えることができる。このため、容器本体１とキャップ５０とを安定して着脱自在に係合させることができる。
【００４５】
また、容器本体１の突起部２６は、その一部が孔に張り出しているため、突起部２６の径方向の弾性が一層高められる。このため、円環状突起５２を一層確実に乗り越えることができ、その結果、容器本体１とキャップ５０とを一層安定して着脱自在に係合させることができる。
【００４６】
また、容器本体１は、突起部２６より前側部分（薄肉部）２４の肉厚が、前側部分２４の周方向両側の他の部分（厚肉部）２５の肉厚より薄いため、突起部２６の径方向の弾性が一層高められる。このため、円環状突起５２を一層確実に乗り越えることができ、その結果、容器本体１とキャップ５０とを一層安定して着脱自在に係合させることができる。
【００４７】
図１４は、本発明の第２実施形態に係る化粧料容器を構成する容器本体を示す側面図、図１５は、図１４に示す容器本体の平面図、図１６は、図１５のXVI-XVI矢視図である。
【００４８】
この第２実施形態の容器本体２が、第１実施形態の容器本体１と違う点は、突起部２６に代えて、その一部が孔２７に迫り出しており更に孔２７に庇状に張り出す突起部４０を用いた点である。
【００４９】
このような構成を有する第２実施形態にあっても、第１実施形態と同様な作用・効果を奏するというのはいうまでもない。
【００５０】
図１７は、本発明の第３実施形態に係る化粧料容器を構成する容器本体を示す平面図、図１８は、図１７のXVIII-XVIII矢視図である。
【００５１】
この第３実施形態の容器本体３が、第１実施形態の容器本体１と違う点は、突起部２６に代えて、その後端面４１ａが、孔２７に張り出さないように垂直に延びる（先端部１０の外周面に対して垂直に延びる）突起部４１を用いた点である。
【００５２】
このような構成を有する第３実施形態にあっても、第１実施形態とほぼ同様な作用・効果を期待できる。
【００５３】
図１９は、本発明の第４実施形態に係る化粧料容器を構成する容器本体を示す平面図、図２０は、図１９のXX-XX矢視図である。
【００５４】
この第４実施形態の容器本体４が、第３実施形態の容器本体３と違う点は、突起部４１に代えて、その後端面４２ａが、突起部４１の後端面４１ａよりやや前方へ反る（傾く）突起部４２を用いた点である。
【００５５】
このような構成を有する第４実施形態にあっても、第３実施形態とほぼ同様な作用・効果を奏する。
【００５６】
図２１は、本発明の第５実施形態に係る化粧料容器を示す縦断面図である。
【００５７】
この第５実施形態の化粧料容器１０１が、第１実施形態の化粧料容器１００と違う点は、キャップ５０を、気密性を確保するためのキャップ６０に代えると共に、容器本体１の先端部１０内に気密栓５５を設けた点である。
【００５８】
キャップ６０は、第１実施形態のキャップ５０の底部の内面に、円筒状の内キャップ６１を立設したものである。この内キャップ６１は、例えば合成樹脂等の可撓性材より成り、キャップ６０の他の部分と一体成形されていても、別部品として底部に固着されていても良い。そして、このキャップ６０が容器本体１に装着されると、内キャップ６１の開口端側の内周面が、容器本体１の先端部１０の先端側の外周面に当接し密着する。
【００５９】
また、気密栓５５は、第３孔１７内に配置され、具体的には、その外周面が、第３孔１７の内周面に密着すると共に、その先端側の面が、第２孔１６の後端と第３孔１７の前端との間の段差面４９に密着するように配置されている。
【００６０】
このような第５実施形態にあっては、容器本体１にキャップ６０を装着すると、内キャップ６１の開口端側の内周面が先端部１０の外周面に密着するため、この密着部分と気密栓５５との間の領域が、これより外の領域に対して封止される。従って、棒状化粧料Ｍが揮発性の場合に、特にその揮散を防止できる。
【００６１】
なお、このようなキャップ６０は、第２〜第４実施形態の化粧料容器に対しても勿論適用できる。
【００６２】
以上、本発明をその実施形態に基づき具体的に説明したが、本発明は上記実施形態に限定されるものではなく、例えば、上記実施形態においては、突起部２６，４０〜４２を特に好ましいとして３個としているが、１個でも４個以上であっても良い。
【００６３】
また、上記実施形態においては、棒状化粧料Ｍを容器本体１〜４に対して軸線方向に不動としているが、例えば螺合機構等の繰出機構を有し当該機構によって容器本体１〜４に対して棒状化粧料Ｍを出没自在とする化粧料容器に対しても適用可能であり、さらには、容器本体１〜４の孔２７に対応する筒内に、孔２７の内側部分のみを塞ぎ当該孔２７からの漏れを防止する円筒体を装着することで、液状化粧料を内蔵し指や押出機構により押し出して使用する液状化粧料容器に対しても適用できる。
【符号の説明】
【００６４】
１〜４…容器本体、１０…先端部、１２…摘み部（拡径部）、１４…容器本体の開口、２６，４０，４１，４２…容器本体の突起部、２４…容器本体の薄肉部（容器本体の突起部より前側部分）、２５…容器本体の厚肉部（容器本体の突起部より前側部分の両側の他の部分）、２７…容器本体の孔、５０，６０…キャップ、５１…キャップの開口、５２…キャップの環状突起、７０…外型、７２…外型の凹部、７３…外型の拡径部用内面、７４…外型の孔対応内面、８０…内型、８１…内型の凸部、８２…内型の拡径部用外面、１００，１０１…化粧料容器、Ｍ…化粧料（棒状化粧料）。
【図１】
0005406255.tif 000002
【図２】
0005406255.tif 000003
【図３】
0005406255.tif 000004
【図４】
0005406255.tif 000005
【図５】
0005406255.tif 000006
【図６】
0005406255.tif 000007
【図７】
0005406255.tif 000008
【図８】
0005406255.tif 000009
【図９】
0005406255.tif 000010
【図１０】
0005406255.tif 000011
【図１１】
0005406255.tif 000012
【図１２】
0005406255.tif 000013
【図１３】
0005406255.tif 000014
【図１４】
0005406255.tif 000015
【図１５】
0005406255.tif 000016
【図１６】
0005406255.tif 000017
【図１７】
0005406255.tif 000018
【図１８】
0005406255.tif 000019
【図１９】
0005406255.tif 000020
【図２０】
0005406255.tif 000021
【図２１】
0005406255.tif 000022